(57)【要約】  表示画像と左右のサイドマスクとのレベル差を低減して表示パネルの焼き付きを低減する。  左サイドマスクＭＬ及び右サイドマスクＭＲとの境界の近傍に設定されているＡＰＬ検出エリアＡＬ及びＡＰＬ検出エリアＡＲの画素の平均輝度レベルがそれぞれ検出され、同各平均輝度レベルの変化に連動して同左サイドマスクＭＬ及び右サイドマスクＭＲの輝度レベルが個別に設定される。このため、たとえば、暗い背景に明るい物体が中心に表示される画像に対して、焼き付きに対する防止効果が大きくなる。
2008139541.tif 000002
【特許請求の範囲】
【請求項１】
表示パネルと、
該表示パネルの第１のアスペクト比と該表示パネルに表示される画像の第２のアスペクト比との相違に応じて、前記画像の左右に付加される左右サイドマスク、又は上下に付加される上下サイドマスクを生成して当該画像と共に前記表示パネルに表示するマスク合成表示手段とを有する画像表示装置であって、
前記マスク合成表示手段は、
入力映像信号に基づいて前記画像の前記左右サイドマスク又は上下サイドマスクとの境界の近傍の各所定領域の画素の特徴量をそれぞれ検出し、前記各特徴量の変化に連動して前記左右サイドマスク又は上下サイドマスクの特徴量を個別に設定する構成とされていることを特徴とする画像表示装置。
【請求項２】
前記特徴量は、
当該画素に対応する輝度レベルであることを特徴とする請求項１記載の画像表示装置。
【請求項３】
前記マスク合成表示手段は、
前記入力映像信号に基づいて、前記画像に付加される前記左右サイドマスク又は上下サイドマスクと前記画像との境界の近傍の前記各所定領域の平均輝度レベルをそれぞれ検出する平均輝度レベル検出部と、
該平均輝度レベル検出部で検出された前記各所定領域の平均輝度レベルの時間平均値又は移動平均値を算出する平均値算出部と、
前記左右サイドマスク又は上下サイドマスクの輝度レベルを、前記平均値算出部で算出された前記時間平均値又は移動平均値に近付けるように個別に制御するマスクレベル制御部と、
該マスクレベル制御部で個別に制御された輝度レベルの前記左右サイドマスク又は上下サイドマスクを生成するマスク生成部と、
該マスク生成部で個別に生成された前記左右サイドマスク又は上下サイドマスクを前記入力映像信号と合成して前記表示パネルへ送出するマスク合成部とから構成されていることを特徴とする請求項１又は２記載の画像表示装置。
【請求項４】
前記平均輝度レベル検出部は、
前記画像の中央付近の領域以外で、かつ前記画像に付加される前記左右サイドマスク又は上下サイドマスクとの境界の近傍の前記各所定領域の平均輝度レベルをそれぞれ検出する構成とされていることを特徴とする請求項３記載の画像表示装置。
【請求項５】
前記表示パネルは、
複数の走査線、前記各走査線と直交する複数のデータ線、及び前記各走査線と前記各データ線との交差領域に形成された複数の画素を有し、
前記平均輝度レベル検出部は、
前記各サイドマスク内の前記境界に隣接する第１の画素と該第１の画素の近傍の互いに隣接する複数の画素を含む第１の領域、及び、前記第１の画素に隣接し、かつ前記表示パネルの同一の前記走査線上に位置する前記画像内の第２の画素と該第２の画素の近傍の互いに隣接する複数の画素を含む第２の領域を設定し、かつ、前記入力映像信号に基づいて、前記第２の領域の輝度信号の平均値を該第２の領域の平均輝度レベルとして検出する構成とされ、
前記平均値算出部は、
前記第２の領域の平均輝度レベルの時間平均値又は移動平均値を算出する構成とされ、
前記マスクレベル制御部は、
前記第１の領域の輝度信号を前記第２の領域の平均輝度レベルの前記時間平均値又は移動平均値に近付けた値に変更する構成とされていることを特徴とする請求項３又は４記載の画像表示装置。
【請求項６】
前記表示パネルの前記各画素は、
少なくとも、第１の色で発光する第１色画素及び第２の色で発光する第２色画素で構成され、
前記特徴量は、
当該画素に対応する各色毎の表示レベルであることを特徴とする請求項１記載の画像表示装置。
【請求項７】
前記マスク合成表示手段は、
前記入力映像信号に基づいて、前記画像の前記第１の色に対応する第１色映像信号の平均表示レベルを平均第１色映像信号レベルとして検出すると共に、前記画像の前記第２の色に対応する第２色映像信号の平均表示レベルを平均第２色映像信号レベルとして検出する平均表示レベル検出部と、
前記平均第１色映像信号レベルの時間平均値又は移動平均値を算出すると共に、前記平均第２色映像信号レベルの時間平均値又は移動平均値を算出する平均値算出部と、
前記各サイドマスクの前記第１の色に対応する第１色マスク映像信号を生成すると共に、前記各サイドマスクの前記第２の色に対応する第２色マスク映像信号を生成し、かつ、前記第１色マスク映像信号を前記平均第１色映像信号レベルの時間平均値又は移動平均値に近付けた値に変更すると共に、前記第２色マスク映像信号を前記平均第２色映像信号レベルの時間平均値又は移動平均値に近付けた値に変更するマスクレベル制御部と、
該マスクレベル制御部で個別に制御された表示レベルの前記左右サイドマスク又は上下サイドマスクを生成するマスク生成部と、
該マスク生成部で個別に生成された前記左右サイドマスク又は上下サイドマスクを前記入力映像信号と合成して前記表示パネルへ送出するマスク合成部とから構成されていることを特徴とする請求項６記載の画像表示装置。
【請求項８】
表示パネルと、
該表示パネルの第１のアスペクト比と該表示パネルに表示される画像の第２のアスペクト比との相違に応じて、前記画像の左右に付加される左右サイドマスク、又は上下に付加される上下サイドマスクを生成して当該画像と共に前記表示パネルに表示するマスク合成表示手段とを有する画像表示装置に用いられるマスク生成方法であって、
前記マスク合成表示手段が、入力映像信号に基づいて前記画像の前記左右サイドマスク又は上下サイドマスクとの境界の近傍の各所定領域の画素の特徴量をそれぞれ検出し、前記各特徴量の変化に連動して前記左右サイドマスク又は上下サイドマスクの特徴量を個別に設定することを特徴とするマスク生成方法。
【請求項９】
前記特徴量は、
当該画素に対応する輝度レベルであることを特徴とする請求項８記載のマスク生成方法。
【請求項１０】
前記入力映像信号に基づいて、前記画像の前記左右サイドマスク又は上下サイドマスクとの境界の近傍の各所定領域の平均輝度レベルをそれぞれ検出する平均輝度レベル検出処理と、
該平均輝度レベル検出処理で検出された各所定領域の平均輝度レベルの時間平均値又は移動平均値を算出する平均値算出処理と、
前記左右サイドマスク又は上下サイドマスクの輝度レベルを、前記平均値算出処理で算出された前記時間平均値又は移動平均値に近付けるように個別に制御するマスクレベル制御処理と、
該マスクレベル制御処理で個別に制御された輝度レベルの前記左右サイドマスク又は上下サイドマスクを生成するマスク生成処理と、
該マスク生成処理で個別に生成された前記左右サイドマスク又は上下サイドマスクを前記入力映像信号と合成して前記表示パネルへ送出するマスク合成処理とを行うことを特徴とする請求項９記載のマスク生成方法。
【請求項１１】
前記平均輝度レベル検出処理では、
前記画像の中央付近の領域以外で、かつ前記左右サイドマスク又は上下サイドマスクとの境界の近傍の各所定領域の平均輝度レベルをそれぞれ検出することを特徴とする請求項１０記載のマスク生成方法。
【請求項１２】
前記表示パネルは、
複数の走査線、複数のデータ線、及び前記各走査線と前記各データ線との交差領域に形成された複数の画素を有し、
前記平均輝度レベル検出処理では、
前記各サイドマスク内の前記境界に隣接する第１の画素と該第１の画素の近傍の互いに隣接する複数の画素を含む第１の領域、及び、前記第１の画素に隣接し、かつ前記表示パネルの同一の前記走査線上に位置する前記画像内の第２の画素と該第２の画素の近傍の互いに隣接する複数の画素を含む第２の領域を設定し、かつ、前記入力映像信号に基づいて、前記第２の領域の輝度信号の平均値を該第２の領域の平均輝度レベルとして検出し、
前記平均値算出処理では、
前記第２の領域の平均輝度レベルの時間平均値又は移動平均値を算出し、
前記マスクレベル制御処理では、
前記第１の領域の輝度信号を前記第２の領域の平均輝度レベルの前記時間平均値又は移動平均値に近付けた値に変更することを特徴とする請求項７又は８記載のマスク生成方法。
【請求項１３】
前記表示パネルの前記各画素は、
少なくとも、第１の色で発光する第１色画素及び第２の色で発光する第２色画素で構成され、
前記特徴量は、
当該画素に対応する各色毎の表示レベルであることを特徴とする請求項７記載のマスク生成方法。
【請求項１４】
前記入力映像信号に基づいて、前記画像の前記第１の色に対応する第１色映像信号の平均表示レベルを平均第１色映像信号レベルとして検出すると共に、前記画像の前記第２の色に対応する第２色映像信号の平均表示レベルを平均第２色映像信号レベルとして検出する平均表示レベル検出処理と、
前記平均第１色映像信号レベルの時間平均値又は移動平均値を算出すると共に、前記平均第２色映像信号レベルの時間平均値又は移動平均値を算出する平均値算出処理と、
前記各サイドマスクの前記第１の色に対応する第１色マスク映像信号を生成すると共に、前記各サイドマスクの前記第２の色に対応する第２色マスク映像信号を生成し、かつ、前記第１色マスク映像信号を前記平均第１色映像信号レベルの時間平均値又は移動平均値に近付けた値に変更すると共に、前記第２色マスク映像信号を前記平均第２色映像信号レベルの時間平均値又は移動平均値に近付けた値に変更するマスクレベル制御処理と、
該マスクレベル制御処理で個別に制御された表示レベルの前記左右サイドマスク又は上下サイドマスクを生成するマスク生成処理と、
該マスク生成処理で個別に生成された前記左右サイドマスク又は上下サイドマスクを前記入力映像信号と合成して前記表示パネルへ送出するマスク合成処理とを行うことを特徴とする請求項１１記載のマスク生成方法。
【請求項１５】
前記マスク合成表示手段が、前記左右サイドマスク又は上下サイドマスクの前記特徴量を、それぞれに対応する前記各所定領域の画素の特徴量の時間平均値又は移動平均値に近付けるように、所定時間毎又は所定フレーム毎に個別に設定することを特徴とする請求項８記載のマスク生成方法。
【請求項１６】
前記マスク合成表示手段が、前記左右サイドマスク又は上下サイドマスクの前記特徴量を、それぞれに対応する前記各所定領域の画素の特徴量の時間平均値又は移動平均値に近付けるように、所定時間毎又は所定フレーム毎に、所定の時定数により徐々に個別に変化させることを特徴とする請求項８記載のマスク生成方法。
【発明の詳細な説明】
【技術分野】
【０００１】
この発明は、画像表示装置及び該画像表示装置に用いられるマスク生成方法に係り、たとえば、アスペクト比が１６：９の表示画面中にアスペクト比が４：３の画像及び左右に付加された左右サイドマスクを表示する場合や、同表示画面中に上下サイドマスク及び同上下サイドマスクの間に左右に分かれた２つの画像（２画面ウインドウ）を表示する場合などに用いて好適な画像表示装置及び該画像表示装置に用いられるマスク生成方法に関する。
【背景技術】
【０００２】
プラズマテレビなどのプラズマ表示装置では、たとえば、アスペクト比が１６：９の表示部（プラズマディスプレイパネル、ＰＤＰ）の表示画面にアスペクト比が４：３の画像及び左右に付加された左右サイドマスクを表示する場合や、同表示画面中に上下サイドマスク及び同上下サイドマスクの間に左右に分かれた２つの画像（２画面ウインドウ）を表示する場合、この種の表示が長時間又は繰り返し行われると、ＰＤＰにおいて、放電を行っているセルと、行っていないセルとの間で、蛍光体の劣化の進行に差が発生するため、残像（焼き付き）が発生することがある。このため、この残像を低減する技術が提案されている。【０００３】
従来、この種の技術としては、たとえば、特許文献１に記載されたものがある。
特許文献１に記載された放送受信装置では、ＣＰＵ（中央処理装置）の指示により、サイドパネル出力回路でサイドパネル（サイドマスクともいう）映像が生成されて加算回路に供給される。加算回路では、サイドパネル映像が元映像に合成される。平均輝度レベル検出回路では、元映像の平均輝度レベル（Average Picture Level 、ＡＰＬ）が検出される。ＣＰＵでは、同ＡＰＬとサイドパネル映像の輝度レベルとの差異が検出され、この差異が閾値を超える回数がカウントアップされる。さらに、ＣＰＵでは、同差異が規定時間内で同閾値を超えた回数が所定回数を超えたときに、サイドパネル映像の輝度レベルが上記ＡＰＬに近付けた値に変更される。
【特許文献１】特開２００５−３２３１４７号公報（要約書、図１）
【発明の開示】
【発明が解決しようとする課題】
【０００４】
しかしながら、上記従来の技術では、次のような問題点があった。
すなわち、特許文献１に記載された放送受信装置では、平均輝度レベル検出回路で元映像のＡＰＬが検出されるようになっているが、同ＡＰＬの検出エリアの数については明確ではない。このため、平均輝度レベル検出回路で画面全体のＡＰＬが検出されるようになっていれば、たとえば、暗い背景に明るい物体が中心に表示される映像（画像ともいう）に対しては、映像全体のＡＰＬとサイドパネル境界付近の映像のＡＰＬとでは、差が大きくなり、焼き付きに対する防止効果が小さいという問題点が一例として挙げられる。
【課題を解決するための手段】
【０００５】
上記課題を解決するために、請求項１記載の発明は、表示パネルと、該表示パネルの第１のアスペクト比と該表示パネルに表示される画像の第２のアスペクト比との相違に応じて、前記画像の左右に付加される左右サイドマスク、又は上下に付加される上下サイドマスクを生成して当該画像と共に前記表示パネルに表示するマスク合成表示手段とを有する画像表示装置に係り、前記マスク合成表示手段は、入力映像信号に基づいて前記画像の前記左右サイドマスク又は上下サイドマスクとの境界の近傍の各所定領域の画素の特徴量をそれぞれ検出し、前記各特徴量の変化に連動して前記左右サイドマスク又は上下サイドマスクの特徴量を個別に設定する構成とされていることを特徴とする。【０００６】
請求項８記載の発明は、表示パネルと、該表示パネルの第１のアスペクト比と該表示パネルに表示される画像の第２のアスペクト比との相違に応じて、前記画像の左右に付加される左右サイドマスク、又は上下に付加される上下サイドマスクを生成して当該画像と共に前記表示パネルに表示するマスク合成表示手段とを有する画像表示装置に用いられるマスク生成方法に係り、前記マスク合成表示手段が、入力映像信号に基づいて前記画像の前記左右サイドマスク又は上下サイドマスクとの境界の近傍の各所定領域の画素の特徴量をそれぞれ検出し、前記各特徴量の変化に連動して前記左右サイドマスク又は上下サイドマスクの特徴量を個別に設定することを特徴とする。
【図面の簡単な説明】
【０００７】
【図１】この発明の一実施例である画像表示装置の要部の電気的構成を示すブロック図である。
【図２】図１中の表示パネル６の要部の構造を示す図である。
【図３】ＡＰＬ検出部１で設定される検出エリアの例を示す図である。
【図４】表示パネル６に表示される画像の例を示す図である。
【符号の説明】
【０００８】
１      ＡＰＬ検出部（マスク合成表示手段の一部）
２      平均ＡＰＬ算出部（マスク合成表示手段の一部、平均値算出部）
３      マスクレベル制御部（マスク合成表示手段の一部）
４      マスク生成部（マスク合成表示手段の一部）
５      マスク合成部（マスク合成表示手段の一部）
６      表示パネル
１２      面放電電極対（走査線）
１６      データ電極（データ線）
ＶＤ      画像
ＡＬ      ＡＰＬ検出エリア（所定領域）
ＡＲ      ＡＰＬ検出エリア（所定領域）
ＭＬ      左サイドマスク
ＭＲ      右サイドマスク
【発明を実施するための最良の形態】
【０００９】
マスク合成表示手段により、入力映像信号に基づいて画像に付加される左右サイドマスク又は上下サイドマスクと同画像との境界の近傍における同画像の各所定領域の画素の平均輝度レベルがそれぞれ検出され、同各平均輝度レベルの変化に連動して上記左右サイドマスク又は上下サイドマスクの輝度レベルが個別に設定されるので、表示される画像の左右又は上下で平均輝度レベルが異なる場合でも、表示パネルの焼き付きを正確に防止することができる。【００１０】
また、画像の中央付近の領域以外で、かつ左右サイドマスク又は上下サイドマスクとの境界の近傍の各所定領域の平均輝度レベルがそれぞれ検出されるので、たとえば、暗い背景に明るい物体が中心に表示される画像に対して、焼き付きに対する防止効果を大きくできる。【００１１】
また、平均輝度レベル検出部（ＡＰＬ検出部）により、付加される各サイドマスク内の上記境界に隣接する第１の画素と同第１の画素の近傍の互いに隣接する複数の画素を含む第１の領域、及び、同第１の画素に隣接し、かつ表示パネルの同一の走査線上に位置する上記画像内の第２の画素と同第２の画素の近傍の互いに隣接する複数の画素を含む第２の領域が設定され、かつ、入力映像信号に基づいて、同第２の領域の輝度信号の平均値が同第２の領域の平均輝度レベルとして検出され、平均値算出部により、上記第２の領域の平均輝度レベルの時間平均値又は移動平均値が算出され、マスクレベル制御部により、上記第１の領域の輝度信号が上記第２の領域の平均輝度レベルの時間平均値又は移動平均値に近付けた値に変更されるので、表示される画像の左右の垂直方向に分割された各領域、又は上下の水平方向に分割された各領域で平均輝度レベルが異なる場合でも、各領域毎にそれぞれ輝度制御が行われるので、表示パネルの焼き付きを正確に防止することができる。【００１２】
また、平均表示レベル検出部により、入力映像信号に基づいて、上記画像の第１の色に対応する第１色映像信号の平均表示レベルが平均第１色映像信号レベルとして検出されると共に、同入力映像信号に基づいて、上記画像の第２の色に対応する第２色映像信号の平均表示レベルが平均第２色映像信号レベルとして検出され、平均値算出部により、上記平均第１色映像信号レベルの時間平均値又は移動平均値が算出されると共に、上記平均第２色映像信号レベルの時間平均値又は移動平均値が算出され、マスクレベル制御部により、各サイドマスクの第１の色に対応する第１色マスク映像信号が生成されると共に、各サイドマスクの第２の色に対応する第２色マスク映像信号が生成され、かつ、同第１色マスク映像信号が上記平均第１色映像信号レベルの時間平均値又は移動平均値に近付けた値に変更されると共に、同第２色マスク映像信号が上記平均第２色映像信号レベルの時間平均値又は移動平均値に近付けた値に変更されるので、表示パネルの画素の各色で平均表示レベルが異なる場合でも、表示パネルの焼き付きを正確に防止することができる。
【実施例】
【００１３】
図１は、この発明の一実施例である画像表示装置の要部の電気的構成を示すブロック図である。
ここでは、サイドマスクが付加される場合を前提とする。サイドマスクが付加される場合、表示パネル６の表示領域は、画像領域とサイドマスク領域とから構成される。また、以下において付加される左サイドマスクにおける第１の領域の輝度レベルをＬｖ、付加される右サイドマスクにおける第１の領域の輝度レベルをＲｖとする。第１の領域は、サイドマスクが付加されたとき、画像領域に隣接する領域である。一方、左サイドマスクにおける第１の領域に隣接する画像領域を左サイドマスクに隣接する第２の領域、及び、右サイドマスクにおける第１の領域に隣接する画像領域を右サイドマスクに隣接する第２の領域とする。また、左サイドマスクに隣接する第２の領域の平均輝度レベルをＡＬｖ、及び、右サイドマスクに隣接する第２の領域の平均輝度レベルをＡＲｖとする。また、平均輝度レベルを“ＡＰＬ”という。【００１４】
この例の画像表示装置は、同図に示すように、ＡＰＬ検出部１と、平均ＡＰＬ算出部２と、マスクレベル制御部３と、マスク生成部４と、マスク合成部５と、表示パネル６とから構成されている。表示パネル６は、たとえば、アスペクト比が１６：９のＰＤＰで構成され、同アスペクト比と同表示パネル６に表示される画像のアスペクト比との相違に応じて、同画像の左右に付加される左右サイドマスクと共に同画像を表示する。この表示パネル６は、複数の走査線、同走査線に直交する複数のデータ線、及び同各走査線と同各データ線との交差領域に形成された複数の画素を有している。同各画素は、Ｒ（赤），Ｇ（緑），Ｂ（青）で発光する。【００１５】
ＡＰＬ検出部１は、入力映像信号ｖｉに基づいて、表示パネル６に表示される画像領域におけるサイドマスク領域との境界近傍、すなわち、左サイドマスク及び右サイドマスクとの境界の近傍の各所定領域の平均輝度レベルＡＬｖ，ＡＲｖをそれぞれ検出する。入力映像信号ｖｉがアスペクト比４：３の映像信号の場合、通常、左サイドマスク及び右サイドマスクの信号は同入力映像信号ｖｉには付加されていないが、走査線の両端に対応する位置に左サイドマスク及び右サイドマスクとの境界があると想定する。また、この実施例では、ＡＰＬ検出部１は、表示パネル６に表示される画像領域の中央付近の領域以外で、かつ左右サイドマスクとの境界の近傍の各所定領域（ＡＰＬ検出エリア）を設定して平均輝度レベルＡＬｖ，ＡＲｖを同時に又は時分割でそれぞれ検出する。この場合、ＡＰＬ検出部１は、左右サイドマスクが付加されたことを想定し、上記左右サイドマスク内の上記境界に隣接する第１の画素と同第１の画素の近傍の互いに隣接する複数の画素を含む第１の領域、及び、同第１の画素に隣接し、かつ表示パネル６の同一の上記走査線上に位置する上記画像領域内の第２の画素と同第２の画素の近傍の互いに隣接する複数の画素を含む第２の領域を設定し、かつ、入力映像信号ｖｉに基づいて、同第２の領域の輝度信号の平均値を同第２の領域の平均輝度レベルＡＬｖ，ＡＲｖとして検出する。【００１６】
平均ＡＰＬ算出部２は、ＡＰＬ検出部１で検出された各所定領域の平均輝度レベルＡＬｖ，ＡＲｖの任意の期間における時間平均値、又は、ＩＩＲ（Infinite Impulse Response 、無限インパルス応答）フィルタなどを用いて移動平均値を算出し、ＡＰＬ平均値ＡＬａ，ＡＲａとして出力する。この場合、平均ＡＰＬ算出部２は、上記第２の領域の平均輝度レベルＡＬｖ，ＡＲｖの時間平均値又は移動平均値を算出する。【００１７】
マスクレベル制御部３は、左サイドマスク及び右サイドマスクの輝度レベルＬｖ，Ｒｖを、ＡＰＬ時間平均算出部２で算出されたＡＰＬ平均値ＡＬａ，ＡＲａに近付けるように個別に制御する。この場合、マスクレベル制御部３は、上記第１の領域の輝度レベルＬｖ，Ｒｖを上記第２の領域の平均輝度レベルの時間平均値又は移動平均値に近付けた値に変更する。マスク生成部４は、マスクレベル制御部３で個別に制御された輝度レベルの左サイドマスクＭＬ及び右サイドマスクＭＲを生成する。マスク合成部５は、マスク生成部４で個別に生成された左サイドマスクＭＬ及び右サイドマスクＭＲを入力映像信号ｖｉと合成して出力映像信号ｖｊとして表示パネル６へ送出する。【００１８】
また、マスクレベル制御部３は、第１の領域の輝度レベルＬｖ，Ｒｖを第２の領域の平均輝度レベルの時間平均値又は移動平均値に近付けるように、毎フレーム毎に、又は所定の複数フレーム毎に、同第１の領域の輝度レベルＬｖ，Ｒｖを徐々に変化させることにより、見た目の自然さを確保することができる。変化のさせ方は、同じレベル毎、又は第１の領域の輝度レベルＬｖ，Ｒｖと第２の領域の平均輝度レベルの時間平均値又は移動平均値との差分に対する同じ割合毎でも良く、場合によっては、異なるレベル、異なる割合で変化させても良い。たとえば、輝度レベルの上昇の変化と下降の変化により、変化量や変化の割合を変えても良い。【００１９】
図２は、図１中の表示パネル６の要部の構造を示す図である。
この表示パネル６は、同図２に示すように、表示側となるガラス基板１１上に、図示しない金属のバス電極が積層された透明導電膜からなる面放電電極対１２と、表面に酸化マグネシウム膜が付着された誘電体層１３とが形成され、さらに黒色の格子状のブラックマトリクス１４が画素を確定するように形成されている。裏面側のガラス基板１５上には、データ電極１６と、白色グレーズ層１７と、ストライプ状の白色の隔壁１８とが形成され、同隔壁１８で挟まれた溝の中には３原色（Ｒ，Ｇ，Ｂ、赤，緑，青）の蛍光を発する蛍光体１９が各色毎に塗り分けられている。ガラス基板１１，１５の間には、放電ガスが封入されている。また、面放電電極対１２（走査線）とデータ電極１６（データ線）との交差領域に表示セル（画素）が形成されている。【００２０】
図３は、ＡＰＬ検出部１で設定される検出エリアの例を示す図、及び図４が、表示パネル６に表示される画像の例を示す図である。
これらの図を参照して、この例の画像表示装置に用いられるマスク生成方法の処理内容について説明する。
この画像表示装置では、図３に示すように、入力映像信号ｖｉに基づいて、表示パネル６に表示される画像ＶＤの中央付近の領域以外で、かつ左サイドマスクＭＬ及び右サイドマスクＭＲとの境界の近傍に設定されているＡＰＬ検出エリアＡＬ（左サイドマスクに隣接する第２の領域に対応）及びＡＰＬ検出エリアＡＲ（右サイドマスクに隣接する第２の領域に対応）の画素のＡＰＬがそれぞれ検出され、同各ＡＰＬの変化に連動して上記左サイドマスクＭＬの輝度レベルＬｖ及び右サイドマスクＭＲの輝度レベルＲｖが個別に設定される。【００２１】
すなわち、ＡＰＬ検出部１では、ＡＰＬ検出エリアＡＬ及びＡＰＬ検出エリアＡＲの平均輝度レベルＡＬｖ，ＡＲｖがそれぞれ検出される（平均輝度レベル検出処理）。この場合、ＡＰＬ検出エリアＡＬ及びＡＰＬ検出エリアＡＲの各横幅は、たとえば、画像ＶＤの横幅の１０〜２０％に設定されているが、この値に限定されない。この場合、ＡＰＬ検出部１では、上記左サイドマスクＭＬ及び右サイドマスクＭＲ内の上記境界に隣接する第１の画素と同第１の画素の近傍の互いに隣接する複数の画素を含む第１の領域、及び、同第１の画素に隣接し、かつ表示パネル６の同一の走査線上に位置する上記画像内の第２の画素と同第２の画素の近傍の互いに隣接する複数の画素を含む第２の領域が設定され、かつ、入力映像信号ｖｉに基づいて、同第２の領域の輝度信号の平均値が同第２の領域の平均輝度レベルＡＬｖ，ＡＲｖとして検出される。これにより、左サイドマスクＭＬ及び右サイドマスクＭＲは、それぞれ垂直方向に複数のマスク部分に分割され、各マスク部分毎にそれぞれ輝度制御が行われる。【００２２】
平均ＡＰＬ算出部２では、ＡＰＬ検出部１で検出された上記第２の領域の平均輝度レベルＡＬｖ，ＡＲｖの任意の期間における時間平均値又は移動平均値が算出され、ＡＰＬ平均値ＡＬａ，ＡＲａとして出力される（平均値算出処理）。マスクレベル制御部３では、左サイドマスク及び右サイドマスクの輝度レベルＬｖ，Ｒｖが、ＡＰＬ時間平均算出部２で算出されたＡＰＬ平均値ＡＬａ，ＡＲａに近付くように個別に制御される（マスクレベル制御処理）。【００２３】
マスク生成部４では、マスクレベル制御部３で個別に制御された左サイドマスクの輝度レベルＬｖ及び右サイドマスクの輝度レベルＲｖに対応した左サイドマスクＭＬ及び右サイドマスクＭＲが生成される（マスク生成処理）。マスク合成部５では、マスク生成部４で個別に生成された左サイドマスクＭＬ及び右サイドマスクＭＲが入力映像信号ｖｉと合成されて出力映像信号ｖｊとして表示パネル６へ送出される（マスク合成処理）。これにより、図４に示すように、表示パネル６では、画像ＶＤと共に左サイドマスクＭＬ及び右サイドマスクＭＲが表示され、たとえば、同左サイドマスクＭＬよりも右サイドマスクＭＲの輝度レベルが低くなっている。【００２４】
以上のように、この実施例では、付加される左サイドマスクＭＬ及び右サイドマスクＭＲとの境界の近傍に設定されているＡＰＬ検出エリアＡＬ及びＡＰＬ検出エリアＡＲの画素のＡＰＬがそれぞれ検出され、同各ＡＰＬの変化に連動して同左サイドマスクＭＬ及び右サイドマスクＭＲの輝度レベルが個別に設定されるので、たとえば、暗い背景に明るい物体が中心に表示される画像に対して、焼き付きに対する防止効果が大きくなる。また、左サイドマスクＭＬ及び右サイドマスクＭＲが垂直方向に複数のマスク部分に分割され、各マスク部分毎にそれぞれ輝度制御が行われるので、隣接するマスク部分と画像部分との輝度劣化の差がより低減される。【００２５】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、画像ＶＤの左右に左サイドマスクＭＬ及び右サイドマスクＭＲが表示されるようになっているが、この発明は、たとえば、表示画面中に上下サイドマスク及び同上下サイドマスクの間に左右に分かれた２つの画像（２画面ウインドウ）を表示する場合や、アスペクト比が４：３の表示画面中にアスペクト比が１６：９の画像を表示する場合などに対しても適用できる。【００２６】
また、マスクレベル制御部３は、平均ＡＰＬ算出部２から出力されるＡＰＬ平均値ＡＬａ，ＡＲａの平均値を求め、同平均値に基づいて左サイドマスクＭＬ及び右サイドマスクＭＲの輝度レベルＬｖ，Ｒｖを制御する構成としても良い。これにより、各サイドマスクＭＬ，ＭＲの輝度レベルＬｖ，Ｒｖは同一となるが、焼き付きが低減され、上記実施例に準じた効果が得られる。【００２７】
上記実施例では、各サイドマスクＭＬ，ＭＲの輝度レベルを制御したが、この発明では、同各サイドマスクＭＬ，ＭＲの各画素の各色毎の表示レベルを制御するようにしても良い。この場合、マスク合成表示手段は、平均表示レベル検出部と、平均値算出部と、マスクレベル制御部と、マスク生成部と、マスク合成部とから構成される。そして、平均表示レベル検出部により、入力映像信号ｖｉに基づいて、画像のＲ（赤）に対応する赤色映像信号の平均レベルが平均赤色映像信号レベルとして検出されると共に、同画像のＧ（緑）に対応する緑色映像信号の平均レベルが平均緑色映像信号レベルとして検出され、かつ、同画像のＢ（青）に対応する青色映像信号の平均レベルが平均青色映像信号レベルとして検出される。【００２８】
平均値算出部により、平均赤色映像信号レベルの時間平均値又は移動平均値、平均緑色映像信号レベルの時間平均値又は移動平均値、及び平均青色映像信号レベルの時間平均値又は移動平均値が算出される。マスクレベル制御部により、左右サイドマスク又は上下サイドマスクのＲ（赤），Ｇ（緑），Ｂ（青）に対応する赤色マスク映像信号，緑色マスク映像信号，青色マスク映像信号が生成され、かつ、同赤色マスク映像信号が平均赤色映像信号レベルの時間平均値又は移動平均値に近付けた値に変更されると共に、同緑色マスク映像信号が平均緑色映像信号レベルの時間平均値又は移動平均値に近付けた値に変更され、同青色マスク映像信号が平均青色映像信号レベルの時間平均値又は移動平均値に近付けた値に変更される。マスク生成部により、上記マスクレベル制御部で個別に制御された表示レベルの左右サイドマスク又は上下サイドマスクが生成される。マスク合成部により、上記マスク生成部で個別に生成された上記左右サイドマスク又は上下サイドマスクが入力映像信号と合成されて表示パネルへ送出される。ＰＤＰの蛍光体の劣化は、Ｒ，Ｇ，Ｂ毎に異なるため、このマスク合成表示手段により、隣接するマスク部分と画像部分のＲ，Ｇ，Ｂ毎の劣化の差が低減される。【００２９】
また、上記実施例の画像表示装置は、表示パネル６がＰＤＰで構成されたプラズマ表示装置であるが、この発明は、プラズマ表示装置に限らず、たとえば、液晶テレビ、ＤＶＤプレーヤ、ＨＤＤプレーヤに用いられる液晶表示装置など、表示パネルと異なるアスペクト比の画像を表示する画像表示装置全般に適用できる。
【図１】
2008139541.tif 000003
【図２】
2008139541.tif 000004
【図３】
2008139541.tif 000005
【図４】
2008139541.tif 000006
【手続補正書】
【提出日】平成21年9月25日(2009.9.25)
【手続補正１】
【補正対象書類名】明細書
【補正対象項目名】０００５
【補正方法】変更
【補正の内容】
【０００５】
上記課題を解決するために、この発明の第１の構成は、表示パネルと、該表示パネルの第１のアスペクト比と該表示パネルに表示される画像の第２のアスペクト比との相違に応じて、前記画像の左右に付加される左右サイドマスク、又は上下に付加される上下サイドマスクを生成して当該画像と共に前記表示パネルに表示するマスク合成表示手段とを有する画像表示装置に係り、前記マスク合成表示手段が、入力映像信号に基づいて前記画像の前記左右サイドマスク又は上下サイドマスクとの境界の近傍の各所定領域の画素の特徴量をそれぞれ検出し、前記各特徴量の変化に連動して前記左右サイドマスク又は上下サイドマスクの特徴量を個別に設定すると共に、前記左右サイドマスク又は上下サイドマスクの前記特徴量を、それぞれに対応する前記各所定領域の前記画素の前記特徴量の時間平均値又は移動平均値に近付けるように、所定時間毎又は所定フレーム毎に、徐々に個別に変化させる構成になされていることを特徴としている。
【手続補正２】
【補正対象書類名】明細書
【補正対象項目名】０００６
【補正方法】変更
【補正の内容】
【０００６】
また、この発明の第２の構成は、表示パネルと、該表示パネルの第１のアスペクト比と該表示パネルに表示される画像の第２のアスペクト比との相違に応じて、前記画像の左右に付加される左右サイドマスク、又は上下に付加される上下サイドマスクを生成して当該画像と共に前記表示パネルに表示するマスク合成表示手段とを有する画像表示装置に用いられるマスク生成方法に係り、前記マスク合成表示手段が、入力映像信号に基づいて前記画像の前記左右サイドマスク又は上下サイドマスクとの境界の近傍の各所定領域の画素の特徴量をそれぞれ検出し、前記各特徴量の変化に連動して前記左右サイドマスク又は上下サイドマスクの特徴量を個別に設定すると共に、前記左右サイドマスク又は上下サイドマスクの前記特徴量を、それぞれに対応する前記各所定領域の前記画素の前記特徴量の時間平均値又は移動平均値に近付けるように、所定時間毎又は所定フレーム毎に、徐々に個別に変化させることを特徴としている。
【手続補正３】
【補正対象書類名】特許請求の範囲
【補正対象項目名】請求項１
【補正方法】変更
【補正の内容】
【請求項１】
表示パネルと、
該表示パネルの第１のアスペクト比と該表示パネルに表示される画像の第２のアスペクト比との相違に応じて、前記画像の左右に付加される左右サイドマスク、又は上下に付加される上下サイドマスクを生成して当該画像と共に前記表示パネルに表示するマスク合成表示手段とを有する画像表示装置であって、
前記マスク合成表示手段は、
入力映像信号に基づいて前記画像の前記左右サイドマスク又は上下サイドマスクとの境界の近傍の各所定領域の画素の特徴量をそれぞれ検出し、前記各特徴量の変化に連動して前記左右サイドマスク又は上下サイドマスクの特徴量を個別に設定すると共に、前記左右サイドマスク又は上下サイドマスクの前記特徴量を、それぞれに対応する前記各所定領域の前記画素の前記特徴量の時間平均値又は移動平均値に近付けるように、所定時間毎又は所定フレーム毎に、徐々に個別に変化させる構成になされていることを特徴とする画像表示装置。
【手続補正４】
【補正対象書類名】特許請求の範囲
【補正対象項目名】請求項８
【補正方法】変更
【補正の内容】
【請求項８】
表示パネルと、
該表示パネルの第１のアスペクト比と該表示パネルに表示される画像の第２のアスペクト比との相違に応じて、前記画像の左右に付加される左右サイドマスク、又は上下に付加される上下サイドマスクを生成して当該画像と共に前記表示パネルに表示するマスク合成表示手段とを有する画像表示装置に用いられるマスク生成方法であって、
前記マスク合成表示手段が、入力映像信号に基づいて前記画像の前記左右サイドマスク又は上下サイドマスクとの境界の近傍の各所定領域の画素の特徴量をそれぞれ検出し、前記各特徴量の変化に連動して前記左右サイドマスク又は上下サイドマスクの特徴量を個別に設定すると共に、前記左右サイドマスク又は上下サイドマスクの前記特徴量を、それぞれに対応する前記各所定領域の前記画素の前記特徴量の時間平均値又は移動平均値に近付けるように、所定時間毎又は所定フレーム毎に、徐々に個別に変化させることを特徴とするマスク生成方法。
【手続補正５】
【補正対象書類名】特許請求の範囲
【補正対象項目名】請求項１６
【補正方法】変更
【補正の内容】
【請求項１６】
前記マスク合成表示手段が、前記左右サイドマスク又は上下サイドマスクの前記特徴量を、所定の時定数により変化させることを特徴とする請求項８記載のマスク生成方法。
【国際調査報告】
2008139541.tif 000007
2008139541.tif 000008